(57)【要約】【課題】操作性の向上を図る上で有利な撮像装置を提供する。【解決手段】カメラ部１４はグリップ部用ケース３０の長さ方向の端部に、幅方向に延在する第１の軸線Ｏ１回りに揺動可能に連結され、モニタ部１６がカメラ部１４に対して、第１の軸線Ｏ１回りにカメラ部１４と一体的に揺動可能に連結されるとともに、第１の軸線Ｏ１と直交する第２の軸線Ｏ２回りに揺動可能に連結され、カメラ部１４の撮影光学系２０の光軸が第１の軸線Ｏ１上に位置している。所望の被写体が撮影できるようにディスプレイパネル１７の長さ方向を水平方向に向けた状態で静止させておき、この状態でグリップ部用ケース３０を第１の軸線Ｏ１回りに揺動しても、カメラ部１４は回転せず、かつ、撮影光学系２０の光軸は不動であるため、撮像素子２２で撮像されディスプレイパネル１７に表示される映像、すなわち、構図は変化しない。【選択図】図５
2008244930.tif 000002
【特許請求の範囲】
【請求項１】
グリップ部と、
撮影光学系と該撮影光学系によって導かれた被写体像を撮像する撮像素子とを有するカメラ部と、
前記カメラ部によって撮像された映像を表示するモニタ部とを備え、
前記グリップ部は、厚さよりも大きい寸法の幅と、この幅よりも大きい寸法の長さを有する扁平な板状のグリップ部用ケースを有し、
前記カメラ部は前記グリップ部用ケースの長さ方向の端部に、前記幅方向に延在する第１の軸線回りに揺動可能に連結され、
前記モニタ部は前記カメラ部に対して、前記第１の軸線回りに前記カメラ部と一体的に揺動可能に連結されるとともに、前記第１の軸線と直交する第２の軸線回りに揺動可能に連結され、
前記カメラ部の前記撮影光学系の光軸は前記第１の軸線上に位置している、
ことを特徴とする撮像装置。
【請求項２】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記第１の軸線は前記第１ケース部の内部を延在している、
ことを特徴とする請求項１記載の撮影装置。
【請求項３】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在している、
ことを特徴とする請求項１記載の撮影装置。
【請求項４】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在し、
前記支持壁が前記第1ケース部に臨む面と反対の面に、シャッターボタンが設けられている、
ことを特徴とする請求項１記載の撮影装置。
【請求項５】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在し、
前記第1ケース部が前記支持壁に臨む面と反対の面に、前記撮影光学系に被写体像を取り入れる開口が形成されている、
ことを特徴とする請求項１記載の撮影装置。
【請求項６】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在し、
前記第1ケース部が前記支持壁に臨む面と反対の面に、前記撮影光学系に被写体像を取り入れる開口が形成され、
前記開口が形成された面と同じ側の前記第２ケース部の面に、撮影補助光を照射するフラッシュが設けられている、
ことを特徴とする請求項１記載の撮影装置。
【請求項７】
前記カメラ部は、前記撮影光学系が収容され前記グリップ部用ケースの厚さよりも大きい寸法の厚さを有する第１ケース部と、前記第１ケース部から突出する第２ケース部とを有するカメラ部用ケースを備え、
前記第１ケース部は、前記グリップ部用ケースの長さ方向の端部に配置されて前記グリップ部用ケースの幅方向に沿って延在する幅を有し、
前記第２ケース部は、前記第１ケース部の厚さよりも小さい寸法の厚さと、前記第１ケース部の幅と同じ寸法の幅と、前記第２ケース部が前記第１ケース部から突出する方向に沿った長さを有し、
前記第１の軸線は前記第１ケース部の内部を延在し、
前記モニタ部は、前記第２ケース部の厚さ、幅と同じ寸法の厚さ、幅の扁平な板状のモニタ部用ケースを有し、
前記第２の軸線は、前記第２ケース部の幅方向の中央と前記モニタ部用ケースの幅方向の中央を通って延在している、
ことを特徴とする請求項１記載の撮影装置。
【請求項８】
前記カメラ部は、前記撮影光学系が収容され前記グリップ部用ケースの厚さよりも大きい寸法の厚さを有する第１ケース部と、前記第１ケース部から突出する第２ケース部とを有するカメラ部用ケースを備え、
前記第１ケース部は、前記グリップ部用ケースの長さ方向の端部に配置されて前記グリップ部用ケースの幅方向に沿って延在する幅を有し、
前記第２ケース部は、前記第１ケース部の厚さよりも小さい寸法の厚さと、前記第１ケース部の幅と同じ寸法の幅と、前記第２ケース部が前記第１ケース部から突出する方向に沿った長さを有し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在し、
前記第1ケース部が前記支持壁に臨む面と反対の面に、前記撮影光学系に被写体像を取り入れる開口が形成され、
前記開口が形成された面と同じ側の前記第２ケースの面に、撮影補助光を照射するフラッシュが設けられ、
前記モニタ部は、前記第２ケース部の厚さ、幅と同じ寸法の厚さ、幅と、この幅よりも大きい寸法の長さを有する扁平な板状のモニタ部用ケースを有し、
前記第２の軸線は、前記第２ケース部の幅方向の中央と前記モニタ部用ケースの幅方向の中央を通って延在し、
前記モニタ部用ケースの厚さ方向の一方の端部に位置する面には、幅よりも大きい寸法の長さを有するディスプレイパネルが設けられ、
前記ディスプレイパネルの長さ方向は前記モニタ部用ケースの長さ方向に平行しており、
前記撮像素子及び前記フラッシュは、前記第２ケース部の長さ方向に沿った細長形状を呈している、
ことを特徴とする請求項１記載の撮影装置。
【請求項９】
前記カメラ部は、前記撮影光学系が収容され前記グリップ部用ケースの厚さよりも大きい寸法の厚さを有する第１ケース部と、前記第１ケース部から突出する第２ケース部とを有するカメラ部用ケースを備え、
前記第１ケース部は、前記グリップ部用ケースの長さ方向の端部に配置されて前記グリップ部用ケースの幅方向に沿って延在する幅を有し、
前記第１ケース部は、前記グリップ部用ケースの長さ方向の端部に配置されて前記グリップ部用ケースの幅方向に沿って延在する幅を有し、
前記第１の軸線は前記第１ケース部の内部を延在し、
前記モニタ部は、前記第２ケース部の厚さ、幅と同じ寸法の厚さ、幅と、この幅よりも大きい寸法の長さを有する扁平な板状のモニタ部用ケースを有し、
前記第２の軸線は、前記第２ケース部の幅方向の中央と前記モニタ部用ケースの幅方向の中央を通って延在し、
前記第２ケース部と前記モニタ部用ケースは、それらの厚さ方向の両面がそれぞれ同一面上を延在する第１の状態となり、
この第１の状態で、前記第１の軸線回りに前記カメラ部とモニタ部とが揺動すると、前記第２ケース部と前記モニタ部用ケースは前記グリップ部用ケースに重なってそれら第２ケース部、モニタ部用ケース、グリップ部用ケースは単一の板状となる、
ことを特徴とする請求項１記載の撮影装置。
【発明の詳細な説明】
【技術分野】
【０００１】
本発明は撮像装置に関する。
【背景技術】
【０００２】
デジタルスチルカメラなどの撮像装置として、扁平な板状を呈するグリップ部と、撮影光学系と該撮影光学系によって導かれた被写体像を撮像する撮像素子とを有するカメラ部と、扁平な板状を呈し前記カメラ部によって撮像された映像を表示するモニタ部とを有し、グリップ部とモニタ部とが支軸を介して揺動可能に連結され、グリップ部とモニタ部とを重ね合わせて閉じることで折り畳むことができるように構成されたものが提供されている。
このような撮像装置として、カメラ部をグリップ部に一体的に組み込んだものが提供されている（特許文献１参照）。
また、グリップ部に支軸を介して板状の連結部を揺動可能に連結するとともに、この連結部にモニタ部とカメラ部を取着することで、モニタ部とカメラ部とを連結部の支軸を中心に揺動する撮像装置が提供されている（特許文献２参照）。この撮像装置では、連結部の支軸とカメラ部の光軸とが離間したものとなっている。
【特許文献１】特開２００１−１６９１６６
【特許文献２】特開２００４−３０４４５８
【発明の開示】
【発明が解決しようとする課題】
【０００３】
ところで、前者の撮像装置では、カメラ部がグリップ部に一体的に組み込まれているので、撮影アングルに応じてグリップ部を揺動させると、カメラ部もグリップ部と一体に支軸を中心に揺動（回転）してしまうことになり、撮影される画像が支軸を中心に回転してしまう不都合が生じる。
したがって、カメラ部の姿勢を保ったままでグリップ部の姿勢を変化させることができないため、撮影時のグリップ部の姿勢が制約される不利がある。
また、後者の撮像装置では、連結部の支軸とカメラ部の光軸とが離間しているため、グリップ部を連結部の支軸回りに揺動させると、カメラ部の撮影範囲が連結部の支軸回りに揺動してずれてしまうため、そのずれに対応して撮影範囲や構図を調節しなくてならず使いにくい。
本発明は、このような事情に鑑みなされたものであり、操作性の向上を図る上で有利な撮像装置を提供することにある。
【課題を解決するための手段】
【０００４】
上述の目的を達成するため、本発明の撮像装置は、グリップ部と、撮影光学系と該撮影光学系によって導かれた被写体像を撮像する撮像素子とを有するカメラ部と、前記カメラ部によって撮像された映像を表示するモニタ部とを備えている。前記グリップ部は、厚さよりも大きい寸法の幅と、この幅よりも大きい寸法の長さを有する扁平な板状のグリップ部用ケースを有している。前記カメラ部は前記グリップ部用ケースの長さ方向の端部に、前記幅方向に延在する第１の軸線回りに揺動可能に連結されている。前記モニタ部は前記カメラ部に対して、前記第１の軸線回りに前記カメラ部と一体的に揺動可能に連結されるとともに、前記第１の軸線と直交する第２の軸線回りに揺動可能に連結されている。前記カメラ部の前記撮影光学系の光軸は前記第１の軸線上に位置している。
【発明の効果】
【０００５】
本発明では、グリップ部を把持し、モニタ部を視認しながらカメラ部により撮影を行う。
そして、本発明では、グリップ部に対するカメラ部およびモニタ部の揺動状態が変化しても、言い換えると、所望の被写体が撮影できるようにモニタ部を静止させておきモニタ部に対してグリップ部の揺動状態を変化させてもカメラ部は回転せず、かつ、撮影光学系の光軸が不動であるため、グリップ部を把持しやすい位置に揺動した状態で撮影を行え、撮像装置の操作性の向上を図る上で有利となる。
【発明を実施するための最良の形態】
【０００６】
次に本発明の実施の形態について図面を参照して説明する。
図１（Ａ）は第１の揺動状態の撮像装置１０の正面図、（Ｂ）は（Ａ）のＢ矢視図、（Ｃ）は（Ａ）のＣ矢視図である。
図２（Ｄ）は図１（Ａ）のＤ矢視図、（Ｅ）は図１（Ａ）のＥ矢視図である。
図３（Ａ）はモニタ部１６が第１の軸線Ｏ１回りに９０度揺動された状態の撮像装置１０の正面図、（Ｂ）は（Ａ）のＢ矢視図である。
図４（Ａ）は図３（Ａ）の状態からモニタ部１６が第２の軸線Ｏ２回りに９０度揺動された状態の撮像装置１０の背面図、（Ｂ）は（Ａ）のＢ矢視図、（Ｃ）は（Ａ）のＣ矢視図である。
図５は、第１の軸線Ｏ１回りでグリップ部用ケース３０に対してカメラ部用ケース３２を開き、第２の軸線Ｏ２回りでカメラ部用ケース３２に対してモニタ部用ケース３８を揺動させた状態の撮像装置１０の斜視図である。
図６は、グリップ部用ケース３０を把持し、第１の軸線Ｏ１回りでグリップ部用ケース３０に対してカメラ部用ケース３２を開き、第２の軸線Ｏ２回りでカメラ部用ケース３２に対してモニタ部用ケース３８を揺動させた状態の撮像装置１０の斜視図である。
図７は、グリップ部用ケース３０を把持し、図６の状態からさらに第１の軸線Ｏ１回りでグリップ部用ケース３０に対してカメラ部用ケース３２を開き、第２の軸線Ｏ２回りでカメラ部用ケース３２に対してモニタ部用ケース３８を揺動させた状態の撮像装置１０の斜視図である。
図８は、カメラ部用ケース３２が下方に位置するようにグリップ部用ケース３０を把持し、第１の軸線Ｏ１回りでグリップ部用ケース３０に対してカメラ部用ケース３２を開き、第２の軸線Ｏ２回りでカメラ部用ケース３２に対してモニタ部用ケース３８を揺動させた状態の撮像装置１０の斜視図である。
図９は撮像装置１０の構成を示すブロック図である。
図１乃至図４に示すように、本実施の形態の撮像装置１０はデジタルスチルカメラであり、グリップ部１２と、カメラ部１４と、モニタ部１６などを含んで構成されている。
なお、本明細書において前方とは被写体側をいい、後方とは結像側をいい、撮像装置１０の左右は前方から見た状態でいうものとする。
図３（Ｂ）に示すように、撮像装置１０は、撮影にまつわる種々の操作や電源のオンオフ操作などを行うための複数の操作スイッチ１８を備えている。
操作スイッチ１８の構成は任意であり、例えば、押しボタンスイッチやタッチスイッチで構成されていてもよいし、あるいは、ディスプレイとその表示面に設けられたタッチパネルとによって構成されたタッチパネルディスプレイであってもよい。
【０００７】
図１（Ａ）に示すように、カメラ部１４には、撮影光学系２０と、この撮影光学系２０によって導かれた被写体像を撮像する撮像素子２２（図９参照）が設けられている。
また、本実施の形態では、撮像装置１０は、図１（Ａ）に示すように、被写体に撮影補助光（閃光）を照射するフラッシュ２４を備え、また、図１（Ｃ）、図４（Ａ）に示すように、シャッターボタン２６を備えている。
【０００８】
図４（Ａ）に示すように、モニタ部１６には、カメラ部１４によって撮像された映像や記録媒体２８Ａから読み出された映像などを表示するディスプレイパネル１７が設けられている。
ディスプレイパネル１７としては、液晶ディスプレイパネルや有機ＥＬディスプレイパネルなどの従来公知のさまざまな表示装置が採用可能である。
【０００９】
次に図９を参照して撮像装置１０の制御系について説明する。
撮像装置１０は、撮影光学系２０によって結像された被写体像を撮像するＣＣＤやＣＭＯＳセンサなどで構成された撮像素子２２と、該撮像素子２２から出力された撮像信号に基づいて画像データを生成し、メモリカードなどの記憶媒体２８Ａに記録する画像処理部２８Ｂと、前記画像データをディスプレイパネル１７に表示させる表示処理部２８Ｃと、シャッターボタン２６や操作スイッチ１８の操作に応じて画像処理部２８Ｂ、表示処理部２８Ｃ、フラッシュ２４を制御するＣＰＵなどを含む制御部２８Ｄなどを備えている。
【００１０】
次に撮像装置１０の構成について詳細に説明する。
図１乃至図５に示すように、グリップ部１２は、厚さよりも大きい寸法の幅と、この幅よりも大きい寸法の長さを有する扁平な板状のグリップ部用ケース３０を有している。
グリップ部用ケース３０は、後述する第２ケース部３６およびモニタ部用ケース３８に重ね合わされる内面３０Ａを有し、複数の操作スイッチ１８はこの内面３０Ａに設けられている。
グリップ部用ケース３０の長さ方向の端部で幅方向の端部に、グリップ部用ケース３０の長さ方向に沿って支持壁３００２が突設されている。
【００１１】
図５に示すように、カメラ部１４は、グリップ部用ケース３０の長さ方向の端部に、グリップ部用ケース３０の幅方向に延在する第１の軸線Ｏ１回りに揺動可能に連結されている。
カメラ部１４はカメラ部用ケース３２を有している。
カメラ部用ケース３２は、第１ケース部３４と、第１ケース部３４から突出する第２ケース部３６とを備えている。
第１ケース部３４は、グリップ部用ケース３０の厚さよりも大きい寸法の厚さを有している。
第１ケース部３４は、グリップ部用ケース３０の長さ方向の端部に配置されている。そして、第１ケース部３４はグリップ部用ケース３０の幅方向に沿って延在している。
本実施の形態では、図５に示すように、第１ケース部３４は円筒状を呈し、第１ケース部３４に撮影光学系２０が組み込まれている。
【００１２】
第２ケース部３６は、図１（Ａ）、（Ｃ）に示すように、第１ケース部３４の厚さよりも小さい寸法の厚さと、第１ケース部３４の幅と同じ寸法の幅と、第２ケース部３６が第１ケース部３４から突出する方向に沿った長さを有し、扁平な板状を呈している。
カメラ部１４のグリップ部用ケース３０の長さ方向の端部への連結は、支持壁３００２と第１ケース部３４との間でなされている。なお、この連結には、摩擦力を用いた方式やクリック機構を用いた方式など従来公知のさまざまな構造が採用可能である。
本実施の形態では、第１の軸線Ｏ１は支持壁３００２を通って第１ケース部３４の内部を延在している。
そして、撮影光学系２０の光軸は第１の軸線Ｏ１上に位置している。
【００１３】
シャッターボタン２６は、図４（Ｂ）、（Ｃ）に示すように、支持壁３００２が第1ケース部３４に臨む面と反対の面に設けられている。
第1ケース部３４が支持壁３００２に臨む面と反対の面に、図１、図５に示すように、撮影光学系２０に被写体像を取り入れる開口３４０２が形成されている。
開口３４０２が形成された面と同じ側の第２ケース３６の面に、図１、図５に示すように、フラッシュ２４が設けられている。
撮像素子２２（図９）およびフラッシュ２４は、第２ケース部３６の長さ方向に沿った細長形状を呈している。
【００１４】
図１、図３、図５に示すように、モニタ部１６はカメラ部１４に対して、第１の軸線Ｏ１回りにカメラ部１４と一体的に揺動可能に連結されるとともに、図４に示すように、第１の軸線Ｏ１と直交する第２の軸線Ｏ２回りに揺動可能に連結されている。カメラ部１４に対してモニタ部１６が第２の軸線Ｏ２回りに揺動可能に連結される構成には、摩擦力を用いた方式やクリック機構を用いた方式など従来公知のさまざまな構造が採用可能である。
モニタ部１６は、図１、図４に示すように、第２ケース部３６の厚さ、幅と同じ寸法の厚さ、幅と、この幅よりも大きい寸法の長さを有する扁平な板状のモニタ部用ケース３８を有し、第２ケース部３６の長さ方向とモニタ部用ケース３８の長さ方向とは常に一致している。
第２の軸線Ｏ２は、第１ケース部３４の幅方向の中央とモニタ部用ケース３８の幅方向の中央を通って延在している。
図４（Ａ）に示すように、モニタ部用ケース３８の厚さ方向の一方の端部に位置する面にディスプレイパネル１７が設けられている。
ディスプレイパネル１７は、図１、図４に示すように、モニタ部用ケース３８に対応して幅よりも大きい寸法の長さを有し、ディスプレイパネル１７の長さ方向とモニタ部用ケース３８の長さ方向とは平行している。
したがって、本実施の形態では、モニタ部用ケース３８の長さ方向と撮像素子２２の長さ方向とフラッシュ２４の長さ方向とが常に一致し、言い換えると、ディスプレイパネル１７の長さ方向と撮像素子２２の長さ方向とフラッシュ２４の長さ方向とが常に一致している。
【００１５】
図１、図２に示すように、第２ケース部３６とモニタ部用ケース３８は、それらの厚さ方向の両面がそれぞれ同一面上を延在する第１の状態となる。
この第１の状態で、第１の軸線Ｏ１回りにカメラ部１４とモニタ部１６とが揺動すると、第２ケース部３６とモニタ部用ケース３８はグリップ部用ケース３０に重なってそれら第２ケース部３６、モニタ部用ケース３８、グリップ部用ケース３０は単一の板状となる。
【００１６】
次に、撮像装置１０の使用方法について説明する。
まず、撮像装置１０を携帯、あるいは、収納する場合には、図１、図２に示すように、第２の軸線Ｏ２回りに第２ケース部３６に対してモニタ部用ケース３８を揺動させ、第２ケース部３６とモニタ部用ケース３８の厚さ方向の両面がそれぞれ同一面上を延在する第１の状態とし、この第１の状態で、第１の軸線Ｏ１回りにグリップ部用ケース３０に対してカメラ部用ケース３２およびモニタ部用ケース３８を揺動させて、モニタ部用ケース３８をグリップ部用ケース３０の内面３０Ａに重ね合わせ、第２ケース部３６、モニタ部用ケース３８、グリップ部用ケース３０を単一の板状とすればよく、外形形状をコンパクト化することができる。
【００１７】
次に、撮像装置１０によって撮影を行う際には、単一の板状に重ね合わされたグリップ部用ケース３０とモニタ部用ケース３８とをそれぞれ把持し、グリップ部用ケース３０に対してカメラ部用ケース３２およびモニタ部用ケース３８を第１の軸線Ｏ１回りに揺動して開く。
グリップ部用ケース３０に対して第２ケース部３６およびモニタ部用ケース３８が９０度程度開いたならば、図６に示すように、グリップ部用ケース３０を把持して撮影光学系２０を前方に向け、次いで、モニタ部用ケース３８を第２ケース部３６に対して第２の軸線Ｏ２回りに揺動し、ディスプレイパネル１７が視認できるようにディスプレイパネル１７を後方に（手前に）向ける。
この状態で撮影光学系２０を被写体に向けることでディスプレイパネル１７には被写体像が表示されるので、構図を決めシャッターボタン２６を操作することで撮影がなされる。
【００１８】
以上説明したように本実施の形態の撮像装置１０によれば、カメラ部１４はグリップ部用ケース３０の長さ方向の端部に、幅方向に延在する第１の軸線Ｏ１回りに揺動可能に連結され、モニタ部１６がカメラ部１４に対して、第１の軸線Ｏ１回りにカメラ部１４と一体的に揺動可能に連結されるとともに、第１の軸線Ｏ１と直交する第２の軸線Ｏ２回りに揺動可能に連結され、カメラ部１４の撮影光学系２０の光軸が第１の軸線Ｏ１上に位置している。
したがって、図６、図７に示すように、所望の被写体を視認しながらディスプレイパネル１７を静止させておき、この状態でグリップ部用ケース３０を第１の軸線Ｏ１回りに揺動しても、カメラ部１４は回転せず、かつ、撮影光学系２０の光軸は不動であるため、ディスプレイパネル１７に表示される映像、すなわち、撮像素子２２で撮像される画像および構図は変化しない。
そのため、グリップ部１２を把持しやすい位置に揺動した状態で撮影を行え、撮像装置１０の操作性の向上を図る上で有利となる。
例えば、地面近くに位置する花などの被写体を撮影する場合には、被写体に対してカメラ部１４を近接させるために、カメラ部１４を地面近傍に位置させることが必要であり、かつ、グリップ部１２を把持しやすくするために、グリップ部１２を地面から離れた箇所に位置させることが必要となる。
本実施の形態の撮像装置１０では、図８に示すように、カメラ部１４およびモニタ部１６を地面に近接させた状態で、グリップ部１２を第１の軸線Ｏ１回りに揺動させることでグリップ部１２を地面から離れた把持しやすい箇所に容易に位置させることができ、したがって、被写体を視認しやすい箇所にディスプレイパネル１７を位置させ、同時に、把持しやすい箇所にグリップ部１２を位置させることができ、撮像装置１０の操作性の向上を図る上で有利となる。
【００１９】
また、本実施の形態では、撮像素子２２の長さ方向とディスプレイパネル１７の長さ方向とフラッシュ２４の長さ方向とが常に一致している。
したがって、例えば、水平方向に沿って延在する横長の被写体を撮影するためにカメラ部１４の第２ケース部３６の長さ方向を水平方向に向けかつモニタ部用ケース３８の長さ方向を水平方向に向けると、フラッシュ２４の長さ方向も水平方向を向くため、フラッシュ２４からの撮影補助光が水平方向に広がって横長の被写体に満遍なく照射され、したがって、全体が照明された横長の被写体を、同じ方向に延在する撮像素子２２により撮像でき、鮮明な画像を得る上で有利となる。
また、鉛直方向に沿って延在する縦長の被写体を撮影するためにカメラ部１４の第２ケース部３６の長さ方向を鉛直方向に向けかつモニタ部用ケース３８の長さ方向を鉛直方向に向けると、フラッシュ２４の長さ方向も鉛直方向を向くため、フラッシュ２４からの撮影補助光が鉛直方向に広がって縦長の被写体に満遍なく照射され、したがって、全体が照明された縦長の被写体を、同じ方向に延在する撮像素子２２により撮像でき、鮮明な画像を得る上で有利となる。
すなわち、撮像素子２２の長さ方向とディスプレイパネル１７の長さ方向とフラッシュ２４の長さ方向とが常に一致しているので、被写体の長さ方向にディスプレイパネル１７の長さ方向を合致させると、フラッシュ２４からの撮影補助光が常に被写体の長さ方向に沿って広がるように照射される。したがって、全体が照明された被写体を、被写体の延在方向と同じ方向に延在する撮像素子２２により撮像でき、鮮明な画像を得る上で有利となる。
【００２０】
なお、本実施の形態では、撮像装置１０としてデジタルスチルカメラを用いて説明したが、本発明は、ビデオカメラ、その他種々の撮像装置、撮像装置を備える携帯電子機器などに適用可能である。
例えば、図１０に示すように、本発明をカメラ付きの携帯電話機５０に適用することができる。なお、図１０において実施の形態と同様の部分、部材については同一の符号を付してその説明を省略する。
この場合、携帯電話機５０は、撮像装置１０と同様にグリップ部１２と、カメラ部１４と、モニタ部１６などを有し、グリップ部用ケース３０の内面３０Ａに、携帯電話機としての操作を行うための、テンキーや機能キーを含む操作スイッチ５２が設けられている。
また、グリップ部用ケース３０の端部には送話部（マイク）５４が設けられ、モニタ部１６の端部には受話部（スピーカ）５６が設けられている。
このような携帯電話機５０においても上述した実施の形態と同様の効果が奏される。
【図面の簡単な説明】
【００２１】
【図１】（Ａ）は第１の揺動状態の撮像装置１０の正面図、（Ｂ）は（Ａ）のＢ矢視図、（Ｃ）は（Ａ）のＣ矢視図である。
【図２】（Ｄ）は図１（Ａ）のＤ矢視図、（Ｅ）は図１（Ａ）のＥ矢視図である。
【図３】（Ａ）はモニタ部１６が第１の軸線Ｏ１回りに９０度揺動された状態の撮像装置１０の正面図、（Ｂ）は（Ａ）のＢ矢視図である。
【図４】（Ａ）は図３（Ａ）の状態からモニタ部１６が第２の軸線Ｏ２回りに９０度揺動された状態の撮像装置１０の背面図、（Ｂ）は（Ａ）のＢ矢視図、（Ｃ）は（Ａ）のＣ矢視図である。
【図５】第１の軸線Ｏ１回りでグリップ部用ケース３０に対してカメラ部用ケース３２を開き、第２の軸線Ｏ２回りでカメラ部用ケース３２に対してモニタ部用ケース３８を揺動させた状態の撮像装置１０の斜視図である。
【図６】グリップ部用ケース３０を把持し、第１の軸線Ｏ１回りでグリップ部用ケース３０に対してカメラ部用ケース３２を開き、第２の軸線Ｏ２回りでカメラ部用ケース３２に対してモニタ部用ケース３８を揺動させた状態の撮像装置１０の斜視図である。
【図７】グリップ部用ケース３０を把持し、図６の状態からさらに第１の軸線Ｏ１回りでグリップ部用ケース３０に対してカメラ部用ケース３２を開き、第２の軸線Ｏ２回りでカメラ部用ケース３２に対してモニタ部用ケース３８を揺動させた状態の撮像装置１０の斜視図である。
【図８】カメラ部用ケース３２が下方に位置するようにグリップ部用ケース３０を把持し、第１の軸線Ｏ１回りでグリップ部用ケース３０に対してカメラ部用ケース３２を開き、第２の軸線Ｏ２回りでカメラ部用ケース３２に対してモニタ部用ケース３８を揺動させた状態の撮像装置１０の斜視図である。
【図９】撮像装置１０の構成を示すブロック図である。
【図１０】本発明が携帯電話機５０に適用された場合の説明図である。
【符号の説明】
【００２２】
１０……撮像装置、１２……グリップ部、１４……カメラ部、１６……モニタ部、２０……撮影光学系、２２……撮像素子、３０……グリップ部用ケース、Ｏ１……第１の軸線、Ｏ２……第２の軸線。
【図１】
2008244930.tif 000003
【図２】
2008244930.tif 000004
【図３】
2008244930.tif 000005
【図４】
2008244930.tif 000006
【図５】
2008244930.tif 000007
【図６】
2008244930.tif 000008
【図７】
2008244930.tif 000009
【図８】
2008244930.tif 000010
【図９】
2008244930.tif 000011
【図１０】
2008244930.tif 000012
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
グリップ部と、
撮影光学系と該撮影光学系によって導かれた被写体像を撮像する撮像素子とを有するカメラ部と、
前記カメラ部によって撮像された映像を表示するモニタ部とを備え、
前記グリップ部は、厚さよりも大きい寸法の幅と、この幅よりも大きい寸法の長さを有する扁平な板状のグリップ部用ケースを有し、
前記カメラ部は前記グリップ部用ケースの長さ方向の端部に、前記幅方向に延在する第１の軸線回りに揺動可能に連結され、
前記モニタ部は前記カメラ部に対して、前記第１の軸線回りに前記カメラ部と一体的に揺動可能に連結されるとともに、前記第１の軸線と直交する第２の軸線回りに揺動可能に連結され、
前記カメラ部の前記撮影光学系の光軸は前記第１の軸線上に位置している、
ことを特徴とする撮像装置。
【請求項２】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記第１の軸線は前記第１ケース部の内部を延在している、
ことを特徴とする請求項１記載の撮影装置。
【請求項３】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在している、
ことを特徴とする請求項１記載の撮影装置。
【請求項４】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在し、
前記支持壁が前記第１ケース部に臨む面と反対の面に、シャッターボタンが設けられている、
ことを特徴とする請求項１記載の撮影装置。
【請求項５】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在し、
前記第１ケース部が前記支持壁に臨む面と反対の面に、前記撮影光学系に被写体像を取り入れる開口が形成されている、
ことを特徴とする請求項１記載の撮影装置。
【請求項６】
前記カメラ部は、前記撮影光学系が収容され前記グリップ部用ケースの厚さよりも大きい寸法の厚さを有する第１ケース部と、前記第１ケース部から前記第１ケース部の厚さよりも小さい寸法の厚さで突出する扁平な板状の第２ケース部とからなるカメラ部用ケースを有し、
前記第１ケース部は、前記グリップ部用ケースの長さ方向の端部に配置されて前記グリップ部用ケースの幅方向に延在し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在し、
前記第１ケース部が前記支持壁に臨む面と反対の面に、前記撮影光学系に被写体像を取り入れる開口が形成され、
前記開口が形成された面と同じ側の前記第２ケース部の面に、撮影補助光を照射するフラッシュが設けられている、
ことを特徴とする請求項１記載の撮影装置。
【請求項７】
前記カメラ部は、前記撮影光学系が収容され前記グリップ部用ケースの厚さよりも大きい寸法の厚さを有する第１ケース部と、前記第１ケース部から突出する第２ケース部とを有するカメラ部用ケースを備え、
前記第１ケース部は、前記グリップ部用ケースの長さ方向の端部に配置されて前記グリップ部用ケースの幅方向に沿って延在する幅を有し、
前記第２ケース部は、前記第１ケース部の厚さよりも小さい寸法の厚さと、前記第１ケース部の幅と同じ寸法の幅と、前記第２ケース部が前記第１ケース部から突出する方向に沿った長さを有し、
前記第１の軸線は前記第１ケース部の内部を延在し、
前記モニタ部は、前記第２ケース部の厚さ、幅と同じ寸法の厚さ、幅の扁平な板状のモニタ部用ケースを有し、
前記第２の軸線は、前記第２ケース部の幅方向の中央と前記モニタ部用ケースの幅方向の中央を通って延在している、
ことを特徴とする請求項１記載の撮影装置。
【請求項８】
前記カメラ部は、前記撮影光学系が収容され前記グリップ部用ケースの厚さよりも大きい寸法の厚さを有する第１ケース部と、前記第１ケース部から突出する第２ケース部とを有するカメラ部用ケースを備え、
前記第１ケース部は、前記グリップ部用ケースの長さ方向の端部に配置されて前記グリップ部用ケースの幅方向に沿って延在する幅を有し、
前記第２ケース部は、前記第１ケース部の厚さよりも小さい寸法の厚さと、前記第１ケース部の幅と同じ寸法の幅と、前記第２ケース部が前記第１ケース部から突出する方向に沿った長さを有し、
前記グリップ部用ケースの長さ方向の端部で幅方向の端部に前記長さ方向に沿って支持壁が突設され、
前記カメラ部の前記グリップ部用ケースの長さ方向の端部への連結は、前記支持壁と前記第１ケース部との間でなされ、
前記第１の軸線は前記支持壁を通って前記第１ケース部の内部を延在し、
前記第１ケース部が前記支持壁に臨む面と反対の面に、前記撮影光学系に被写体像を取り入れる開口が形成され、
前記開口が形成された面と同じ側の前記第２ケースの面に、撮影補助光を照射するフラッシュが設けられ、
前記モニタ部は、前記第２ケース部の厚さ、幅と同じ寸法の厚さ、幅と、この幅よりも大きい寸法の長さを有する扁平な板状のモニタ部用ケースを有し、
前記第２の軸線は、前記第２ケース部の幅方向の中央と前記モニタ部用ケースの幅方向の中央を通って延在し、
前記モニタ部用ケースの厚さ方向の一方の端部に位置する面には、幅よりも大きい寸法の長さを有するディスプレイパネルが設けられ、
前記ディスプレイパネルの長さ方向は前記モニタ部用ケースの長さ方向に平行しており、
前記撮像素子及び前記フラッシュは、前記第２ケース部の長さ方向に沿った細長形状を呈している、
ことを特徴とする請求項１記載の撮影装置。
【請求項９】
前記カメラ部は、前記撮影光学系が収容され前記グリップ部用ケースの厚さよりも大きい寸法の厚さを有する第１ケース部と、前記第１ケース部から突出する第２ケース部とを有するカメラ部用ケースを備え、
前記第１ケース部は、前記グリップ部用ケースの長さ方向の端部に配置されて前記グリップ部用ケースの幅方向に沿って延在する幅を有し、
前記第２ケース部は、前記第１ケース部の厚さよりも小さい寸法の厚さと、前記第１ケース部の幅と同じ寸法の幅と、前記第２ケース部が前記第１ケース部から突出する方向に沿った長さを有し、
前記第１の軸線は前記第１ケース部の内部を延在し、
前記モニタ部は、前記第２ケース部の厚さ、幅と同じ寸法の厚さ、幅と、この幅よりも大きい寸法の長さを有する扁平な板状のモニタ部用ケースを有し、
前記第２の軸線は、前記第２ケース部の幅方向の中央と前記モニタ部用ケースの幅方向の中央を通って延在し、
前記第２ケース部と前記モニタ部用ケースは、それらの厚さ方向の両面がそれぞれ同一面上を延在する第１の状態となり、
この第１の状態で、前記第１の軸線回りに前記カメラ部とモニタ部とが揺動すると、前記第２ケース部と前記モニタ部用ケースは前記グリップ部用ケースに重なってそれら第２ケース部、モニタ部用ケース、グリップ部用ケースは単一の板状となる、
ことを特徴とする請求項１記載の撮影装置。